(57)【特許請求の範囲】
【請求項１】
飲食物を飲食客に提供する循環型搬送路上に、不動のスライド板が設けられ、前記スライド板上にはマグネットと反応する基材と連動して移動する飲食物容器または搬送台が載置されるとともに、スライド板下部には、循環移動するマグネットが設けられている飲食物供給用循環型搬送路において、前記飲食物容器または搬送台下部に、この不動のスライド板に常時当接する回転部材が、少なくとも１つ設けられていることを特徴とする循環型搬送路用飲食物容器または搬送台。
【請求項２】
前記回転部材が、前記基材が設けられた位置の搬送方向に対して後ろ側に設けられている請求項１に記載の循環型搬送路用飲食物容器または搬送台。
【請求項３】
前記基材が、飲食物容器または搬送台のほぼ中央部に設けられている請求項１または２に記載の循環型搬送路用飲食物容器または搬送台。
【請求項４】
前記回転部材が多数設けられており、この回転部材でのみ前記スライド板に当接するようになっている請求項１〜３のいずれかに記載の循環型搬送路用飲食物容器または搬送台。
【請求項５】
前記回転部材が、飲食物容器または搬送台のほぼ中央部に１つ設けられ、その周囲に脚部が設けられており、これら脚部の下端部を結ぶ水平面よりも、前記回転部材が下方に若干突出するようになっている請求項１〜３のいずれかに記載の循環型搬送路用飲食物容器または搬送台。
【請求項６】
前記基材が、前記回転部材である請求項１または４または５項に記載の循環型搬送路用飲食物容器または搬送台。
【請求項７】
前記回転部材が円柱状である請求項１〜６のいずれかに記載の循環型搬送路用飲食物容器または搬送台。
【請求項８】
前記円柱状の回転部材が、飲食物容器または搬送台の中央部よりオフセットされて設けられている請求項７に記載の循環型搬送路用飲食物容器または搬送台。
【発明の詳細な説明】
【０００１】
【発明の属する技術分野】
本発明は飲食物、特には寿司等を搬送し、飲食客に供給する無端状に形成され、前記飲食物が載置される飲食物容器やその載置台がスライド搬送される循環型搬送路に使用される飲食物容器やその載置台に関する。
【０００２】
【従来の技術】
従来、カウンタ−等の飲食台に沿って無端状に形成されている食品搬送用の循環型搬送路を設け、この搬送路に、飲食物、例えば寿司等を盛り付けた皿等の容器を載置して搬送する循環搬送型の飲食カウンタ−は、飲食客や調理人が移動することなく飲食或いは調理することができ、更に飲食客は席にいながらにして自分の所望する商品を選びながら飲食できることから広く使用されている。
【０００３】
従来、このような飲食カウンタに用いられる飲食物搬送用の循環型搬送路としては、図８に示すように、その上面部に略半月状をした複数のスタット２’が、相対移動可能に平面性を有し、駆動チェ−ン３’により搬送路を移動可能に設けられたクレセントチェ−ンコンベア１’が主に用いられている。
【０００４】
しかし、上記した従来のクレセントチェ−ンコンベア１’は、搬送路を循環する無端状とするために、どうしても曲部を設ける必要があるために、その曲部においてスム−ズに前記スタット２’が進行できるように、前記各スタットが相対移動可能とする必要があり、よって前記スタット間に所定の間隙を設けて駆動チェ−ン３’に係合されている。
【０００５】
そのため、この間隙に飲食物等の異物が侵入しやすく、これらの異物等を取り除くためには、前記クレセントチェ−ンコンベア１’を休止し、これを取り外して実施する必要があり、非常に困難なものになっていた。
【０００６】
【発明が解決しようとする課題】
このため、本発明者らは、先に飲食物を搬送する搬送面を間隙のない不動のスライド板とし、このスライド板上をマグネットにより飲食物を載置した飲食物容器等をスライド搬送する提案を特願平９−２２７１３４号により提案しているが、このようにスライド板上をマグネットによりスライド搬送する場合には、スライド板と飲食物容器との当接部において摩擦を生じることから、この摩擦に抗して飲食物容器をスライドさせるために、磁力の大きなマグネットを用いる必要があるが、このようにした場合には、前記飲食物容器とスライド板との当接力も大きくなって摩擦力も大きくなってしまうことから、飲食物容器が間欠的にスライド移動し、スムーズな移動がなされなくなる場合があり、状況によっては、これら間欠周期が短い場合には、飲食物容器が振動して異音を発するようになってしまう場合があった。
【０００７】
また、このように磁力の大きなマグネットを用いると、飲食客が飲食物容器を取り出すのにも大きな力を必要とし、飲食物容器を取り出しにくくなってしまうという問題点があった。
【０００８】
よって、本発明は上記した問題点に着目してなされたもので、少ない磁力のマグネットによってもスムーズなスライド搬送を実施することのできる循環型搬送路用飲食物容器または搬送台を提供することを目的としている。
【０００９】
【課題を解決するための手段】
上記した問題を解決するために、本発明の循環型搬送路用飲食物容器または搬送台は、飲食物を飲食客に提供する循環型搬送路上に、不動のスライド板が設けられ、前記スライド板上にはマグネットと反応する基材と連動して移動する飲食物容器または搬送台が載置されるとともに、スライド板下部には、循環移動するマグネットが設けられている飲食物供給用循環型搬送路において、前記飲食物容器または搬送台下部に、この不動のスライド板に常時当接する回転部材が、少なくとも１つ設けられていることを特徴としている。
この特徴によれば、前記飲食物容器または搬送台下部に回転可能とされた回転部材が設けられることにより、前記スライド板と飲食物容器または搬送台との摩擦が著しく減少され、少ない磁力のマグネットを用いてもスムーズな搬送ができるようになる。
さらに、マグネットの磁力が少なくて済むことから、飲食客が飲食物を取り出す際に必要な力を低減でき、取り出しが容易にできるようになる。
【００１０】
本発明の循環型搬送路用飲食物容器または搬送台は、前記回転部材が、前記基材が設けられた位置の搬送方向に対して後ろ側に設けられていることが好ましい。
このようにすれば、前記回転部材が、前記基材により引かれる形となることから、搬送方向性が一定化し、前記回転部材が安定して回転することができるようになる。
【００１１】
本発明の循環型搬送路用飲食物容器または搬送台は、前記基材が、飲食物容器または搬送台のほぼ中央部に設けられていることが好ましい。
このようにすれば、循環移動するマグネットと連動する基材がほぼ中央部に配置されることにより、スライド板上を搬送される各飲食物容器または搬送台が、整然と一列状に搬送できるようになる。
【００１２】
本発明の循環型搬送路用飲食物容器または搬送台は、前記回転部材が多数設けられており、この回転部材でのみ前記スライド板に当接するようになっていることが好ましい。
このようにすれば、不動のスライド板と当接する部分が回転する回転部材のみであることから、スライド板との摩擦抵抗をより低減することができ、よりスムーズな搬送ができるようになる。
【００１３】
本発明の循環型搬送路用飲食物容器または搬送台は、前記回転部材が、飲食物容器または搬送台のほぼ中央部に１つ設けられ、その周囲に脚部が設けられており、これら脚部の下端部を結ぶ水平面よりも、前記回転部材が下方に若干突出するようになっていることが好ましい。
このようにすれば、前記回転部材の周囲に設けられた脚部がスライド板と当接する面積を低減できるとともに、その面積をほぼ一定とすることができるようになり、これら脚部とスライド板とが当接して生じる摩擦力が低減するとともに安定することから、少ない磁力で安定したスムーズな搬送ができるようになる。
【００１４】
本発明の循環型搬送路用飲食物容器または搬送台は、前記基材が、前記回転部材であることが好ましい。
このようにすれば、回転部材が前記マグネットの移動に伴い、スライド板と当接していることで自転するようになることから、より滑らかな搬送ができるようになる。
さらに、回転部材が基材を兼ねることにより、構成部品の数が減少し、製造コストも低減させることができる。
【００１５】
本発明の循環型搬送路用飲食物容器または搬送台は、前記回転部材が円柱状であることが好ましい。
このようにすれば、前記回転部材が円柱であることから、回転方向に方向性を持つようになり、飲食物容器または搬送台が搬送中に回転してしまうことを抑えることができる。
【００１６】
本発明の循環型搬送路用飲食物容器または搬送台は、前記円柱状の回転部材が、飲食物容器または搬送台の中央部よりオフセットされて設けられていることが好ましい。
このようにすれば、前記円柱状の回転部材の回転方向と、搬送方向が一致しない状態にて飲食物容器または搬送台をスライド板上に配置したとしても、前記円柱状の回転部材が飲食物容器または搬送台の中央部よりオフセットされていることにより、搬送移動に伴って自動的に円柱状の回転部材の回転方向と、搬送方向が一致するようになる。
【００１７】
【発明の実施の形態】
以下、本発明の実施例を図面に基づいて説明する。
【００１８】
（実施例１）
図１は本実施例１に用いた循環型搬送路を示す外観斜視図であり、図２は本実施例１に用いた循環型搬送路の構成を示す断面模式図であり、図３（ａ）は、本実施例１における循環型搬送路用飲食物容器である寿司皿の構成を示す裏面図であり、図３（ｂ）は、本実施例１の寿司皿の構成を示す断面Ａ−Ａにおける断面図である。
【００１９】
本実施例１に用いた循環型搬送路１は、図１に示されるような外観を有しており、従来の循環搬送路同様に、飲食台４に沿って無端状に搬送路が形成されており、この搬送路上を飲食物容器である寿司皿３に各種の寿司が載置されて、前記飲食台４の各飲食客に提供されるようになっている。
【００２０】
本実施例１の循環型搬送路は、図２に示すような構成とされており、搬送路の上面部に、平滑性を有するスライド板２が設けられ、前記スライド板２は、搬送路側部を形成するハウジング５に搬送路内を密封するように固定されており、前記スライド板２直下の搬送路中央部にには、通電により磁化する電磁石６が複数、所定の間隔にて設けられ、この電磁石６は、搬送路内に設けられたチェーンレール７に沿って、搬送路内を循環移動するようにされている駆動チェーン８に取付け治具により取付けられており、前記駆動チェーン８の移動に伴って搬送路内を循環移動するようになっている。
【００２１】
また、本実施例１においては、前記したように、マグネットとして電磁石６を用いていることから、この電磁石６に電気を供給する給電装置が搬送路内部に設けられており、これら給電装置としては、前記電磁石６が駆動チェーン８に連動して移動するため、図２に示されるような搬送路内部側面に、給電レール１０をレールホルダー９を用いて架設し、前記駆動チェーン８の前記電磁石６が取付けられた近傍の位置に、前記電磁石６同様に駆動チェーン８に集電ブロック１２が取付けられており、この集電ブロック１２には、前記給電レール１０に接し、移動しながら導通が得られるトロリ１１が設けられており、この集電ブロック１２より前記電磁石６に電気が供給されるようになっている。
【００２２】
これら前記した循環搬送路上を搬送される本実施例１の飲食物容器である寿司皿３は、図３（ａ）および（ｂ）に示されるようになっており、前記搬送路内を循環移動する電磁石６と連係して寿司皿３を移動させる永久磁石１３が裏面に固定されており、この寿司皿３には、その中央部に回転部材としての樹脂製のベアリングボール１７と、このベアリングボール１７を回転自在に保持するベアリングケース１６が、ベアリングホルダー部１５に挿入、嵌合されて固定されており、寿司皿３の外周部には、脚部としての糸底１４が設けられ、これら糸底１４の下端部と前記ベアリングボール１７の下端部は、ほぼ同一水平面状または前記ベアリングボール１７の下端部が若干下方に突出するようにされて、これら糸底１４とベアリングボール１７の下端部にてスライド板２と当接するようになっている。
【００２３】
このようにすることにより、飲食物である寿司が載置された寿司皿３が搬送路に投入されると、前記電磁石６による磁力に寿司皿３の裏面に設けられた永久磁石１３が引きつけられて、電磁石６の移動に連動して寿司皿３がスライド板２上を移動、搬送されるようになり、この移動において、前記回転自在とされたベアリングボール１７が寿司皿３の中央において、寿司がどのように配置されても常時スライド板と当接し、その荷重による糸底１４とスライド板２との摩擦を低減することから、スムーズな移動ができるようになる。
【００２４】
また、前記したように摩擦が低減するため、移動に必要とされる力も低減されることから、前記電磁石６の強さを少ないものとすることができ、前記電磁石６と永久磁石１３との引力を低下させることができるため、飲食客が搬送路上より寿司皿３を、前記電磁石６と永久磁石１３との引力に抗して取り出す力を少なくでき、取り出しを容易とすることができる。
【００２５】
また、本実施例１のように、回転部材であるベアリングボール１７が基材である永久磁石１３の進行方向後ろ側に設けられていることにより、永久磁石１３によりベアリングボール１７が引かれる形となることから、ベアリングボール１７の回転方向が一定化し、安定して回転するようになる。
【００２６】
また、本実施例１では、電磁石６を用いているが、前記のように電磁石６の強さを低減させられることから、これら電磁石６を電気力が不要な永久磁石としても良く、そうすれば前記搬送路内の電気の供給設備を不要とすることもできる。
【００２７】
また、本実施例１においては、前記電磁石６に反応する基材として永久磁石１３を用いているが、本発明はこれに限定されるものではなく、金属片等を用いたり、磁気塗料等を印刷して用いても良い。
【００２８】
また、前記糸底１４は寿司皿３と同一の材質とされているが、前記スライド板２と当接する下端部に低摩擦で耐磨耗性に優れた他の素材を用いても良い。
【００２９】
また、本実施例１は寿司皿３として実施されているが、これら寿司皿３を一般の寿司皿３を載置できるように、例えば上面部を水平な面として載置台としても良い。
【００３０】
（実施例２）
図４（ａ）は、本実施例２の搬送台１８を示す裏面図であり、図４（ｂ）は、本実施例２の搬送台１８の構成を示す断面Ｂ−Ｂにおける断面図である。
【００３１】
本実施例２においては、前記搬送台１８を搬送する搬送路は実施例１と同様とされている。
【００３２】
本実施例２では、前記実施例１が寿司皿３であったのに対し、本実施例２では前記電磁石６と連係しない通常の寿司皿３’を載置して搬送する搬送台１８において実施している。
【００３３】
本実施例２の搬送台１８は、図４（ａ）および（ｂ）に示されるようになっており、前記搬送路内を循環移動する電磁石６と連係して搬送台１８を移動させる鉄片２０が基台２３の内部に内蔵されており、このほぼ正方形とされた基台２３の四隅には、脚部１９ａおよびｂが設けられており、進行方向前側に設けられた脚部１９ａは、進行方向後側に設けられた脚部１９ｂよりもスライド板２と当接する面積が小さくされており、前記基台２３裏面中央部には、回転自在にベアリングケース２１に保持されている円柱状で樹脂製のベアリングローラ２２が、その回転方向側に前記鉄片２０がくるように配置されている。
【００３４】
また、前記脚部１９ａおよびｂの下端面およびベアリングローラ２２の下端部は、ほぼ同一水平面となるようにされており、これら脚部１９ａおよびｂの下端面およびベアリングローラ２２の下端部がスライド板２と当接するようになっている。
【００３５】
本実施例２のようにすれば、実施例１同様に、電磁石６と連係する鉄片２０により回転する前記円柱状のベアリングローラ２２が必ず引かれる形となり、ベアリングローラ２２が安定して回転するようになるとともに、前記ベアリングローラ２２が円柱状であることから、回転に方向性を有するため、搬送台１８が回転しにくくなるとともに、前記脚部１９ａおよびｂにおいて、進行方向後側に設けられているた脚部１９ｂのスライド板２と当接する面積が大きくなることから、この部分にて生じる摩擦抵抗が前側の脚部１９ａの摩擦より大きくなり、さらに搬送台１８を回転しずらいものとすることができる。
【００３６】
また、本実施例２のように電磁石６と連係する基材である鉄片２０が、飲食客により取り出される寿司皿３’にではなく、飲食客により取り出されることのない搬送台１８に設けられていることにより、寿司皿３’の取り出しの際に、電磁石６と基材との引き合いに抗する力を必要としないことから、取り出しを容易なものとすることもできる。
【００３７】
（実施例３）
図５（ａ）は、本実施例３の搬送台１８を示す裏面図であり、図５（ｂ）は、本実施例３の搬送台１８の構成を示す断面Ｃ−Ｃにおける断面図である。
【００３８】
本実施例３においても、前記搬送台１８を搬送する搬送路は実施例１と同様とされている。
【００３９】
本実施例３でも、前記実施例２と同様に、電磁石６と連係しない通常の寿司皿３’を載置して搬送する搬送台１８において実施している。
【００４０】
本実施例３の搬送台１８は、図５（ａ）および（Ｂ）に示されるように、基台２６の裏面中央部には、円形の永久磁石２５が、スライド板２と当接しないように設けられ、前記基台２６の四隅には、前記実施例１において寿司皿３の裏面中央部に設けられていたものと同様の回転部材である、樹脂製のベアリングボール１７と、このベアリングボール１７を回転自在に保持するベアリングケース１６が、ベアリングホルダー部１５に挿入、嵌合されて固定されており、これら各ベアリングボール１７の下端部は、ほぼ同一水平面となるようにされ、このベアリングボール１７の下端部のみにてスライド板２と当接するようになっている。
【００４１】
本実施例３のようにすれば、スライド板２と当接する部分が、摩擦の少ない回転可能な回転部材のみであるため、スライド板２上を搬送するために必要な力を、より少ないものとすることができるようになるとともに、電磁石６と連係する基材である永久磁石２５が、基台２６のほぼ中央に設けられていることから、搬送台１８が回転しても、その中心位置が一列状に移動する電磁石６の位置より大きく外れないことから、搬送台１８も一列状に整然と搬送されるようになる。
【００４２】
（実施例４）
図６（ａ）は、本実施例４の寿司皿３を示す裏面図であり、図６（ｂ）は、本実施例４の寿司皿３の構成を示す断面Ｄ−Ｄにおける断面図である。
【００４３】
本実施例４においても、本実施例４の寿司皿３を搬送する搬送路は実施例１と同様とされている。
【００４４】
本実施例４の寿司皿３は、図６（ａ）および（ｂ）に示されるように、実施例１とほぼ同様の寿司皿３とされているが、本実施例４では、前記実施例１では、搬送路１内の電磁石６と連係する永久磁石１３を皿底面部に個別として設けているのに対し、本実施例４では、この電磁石６と連係する基材が回転部材としての鉄製のベアリングボ−ル２７とされている点と、このベアリングボ−ル２７の下端部が、糸底１４の下端部の水平面より若干下方に突出するように配置されている点が異なり、その他の構成は、実施例１と同様とされている。
【００４５】
本実施例４のようにすれば、前記ベアリングボ−ル２７自体が電磁石６と連係し、スライド板２と常時当接することから、電磁石６の移動に伴ってベアリングボ−ル２７自体が回転するようになるとともに、前記糸底１４の下端部がスライド板２と当接する面積が減少するとともに、その当接面積の変化が少なく、ほぼ一定とすることができるようになることから、寿司皿３が少ない磁力でも、安定してスム−ズに搬送されるようになる。
【００４６】
また、このベアリングボ−ル２７が寿司皿３のほぼ中央に設けられていることから、実施例３と同様に、寿司皿３が回転しても、その中心位置が一列状に移動する電磁石６の位置より大きく外れることがなく、寿司皿３が一列状に整然と搬送されるようになる。
【００４７】
（実施例５）
図７（ａ）は、本実施例５の寿司皿３を示す裏面図であり、図７（ｂ）は、本実施例５の寿司皿３の構成を示す断面Ｅ−Ｅにおける断面図である。
【００４８】
本実施例５においても、本実施例５の寿司皿３を搬送する搬送路は実施例１と同様とされている。
【００４９】
本実施例５の寿司皿３は、図７（ａ）および（ｂ）に示されるように、前記実施例４と同様の糸底を有する寿司皿３の裏面に、実施例２とほぼ同様のベアリングロ−ラ２８を回転自在に保持するベアリングケース２１が、前記寿司皿３の中央より少し外れた位置にオフセットされて設けられており、前記ベアリングロ−ラ２８は、搬送路内を循環移動する電磁石６と連係する基材を兼ねるために、本実施例５では鉄製とされている。
【００５０】
また、前記ベアリングロ−ラ２８は、図７（ｂ）に示されるように、実施例４と同様に、糸底１４の下端部の水平面より若干下方に突出するように配置されている。
【００５１】
本実施例５のようにすれば、前記実施例４と同様に、回転部材である前記ベアリングロ−ラ２８が、電磁石６と連係することにより、自転するようになるとともに、前記糸底１４の下端部がスライド板２と当接する面積が減少し、その当接面積の変化が少なく、ほぼ一定とすることができるようになることから、寿司皿３が少ない磁力でも、安定してスム−ズに搬送されるようになる。
【００５２】
さらに、このベアリングロ−ラ２８が円柱状とされていることから、回転に方向性があるため、寿司皿３が回転することを抑えることもできるようになる。
【００５３】
また、本実施例５のように、前記ベアリングロ−ラ２８を寿司皿３の中心よりオフセットして設けることにより、寿司皿３が前記ベアリングロ−ラ２８の回転方向と進行方向とがほぼ直角となるようにスライド板２上に置かれたとしても、寿司皿３の進行につれて寿司皿３が自動的に回転し、その進行方向とベアリングロ−ラ２８の回転方向とが自動的に一致するようになる。
【００５４】
以上、本発明を図面に基づいて説明してきが、本発明は前記した各実施例に限定されるものではなく、本発明の主旨を逸脱しない範囲での変更または追加があっても、本発明に含まれることは言うまでもない。
【００５５】
また、前記各実施例においては、寿司皿３または搬送台１８について実施しているが、これらの各実施内容を寿司皿３を搬送台１８に、搬送台１８を寿司皿３に置き換えて実施しても良いことは言うまでもない。
【００５６】
【発明の効果】
本発明は以下の効果を奏する。
【００５７】
（ａ）請求項１項の発明によれば、前記飲食物容器または搬送台下部に回転可能とされた回転部材が設けられることにより、前記スライド板と飲食物容器または搬送台との摩擦が著しく減少され、少ない磁力のマグネットを用いてもスムーズな搬送ができるようになる。
さらに、マグネットの磁力が少なくて済むことから、飲食客が飲食物を取り出す際に必要な力を低減でき、取り出しが容易にできるようになる。
【００５８】
（ｂ）請求項２項の発明によれば、前記回転部材が、前記基材により引かれる形となることから、前記回転部材が安定して回転することができるようになる。
【００５９】
（ｃ）請求項３項の発明によれば、循環移動するマグネットと連動する基材がほぼ中央部に配置されることにより、スライド板上を搬送される各飲食物容器または搬送台が、整然と一列状に搬送できるようになる。
【００６０】
（ｄ）請求項４項の発明によれば、不動のスライド板と当接する部分が回転する回転部材のみであることから、スライド板との摩擦抵抗をより低減することができ、よりスムーズな搬送ができるようになる。
【００６１】
（ｅ）請求項５項の発明によれば、前記回転部材の周囲に設けられた脚部がスライド板と当接する面積を低減できるとともに、その面積をほぼ一定とすることができるようになり、これら脚部とスライド板とが当接して生じる摩擦力が低減するとともに安定することから、少ない磁力で安定したスムーズな搬送ができるようになる。
【００６２】
（ｆ）請求項６項の発明によれば、回転部材が前記マグネットの移動に伴い、スライド板と当接していることで自転するようになることから、より滑らかな搬送ができるようになる。
さらに、回転部材が基材を兼ねることにより、構成部品の数が減少し、製造コストも低減させることができる。
【００６３】
（ｇ）請求項７項の発明によれば、前記回転部材が円柱であることから、回転方向に方向性を持つようになり、飲食物容器または搬送台が搬送中に回転してしまうことを抑えることができる。
【００６４】
（ｈ）請求項８項の発明によれば、前記円柱状の回転部材の回転方向と、搬送方向が一致しない状態にて飲食物容器または搬送台をスライド板上に配置したとしても、前記円柱状の回転部材が飲食物容器または搬送台の中央部よりオフセットされていることにより、搬送移動に伴って自動的に円柱状の回転部材の回転方向と、搬送方向が一致するようになる。
【００６５】
【図面の簡単な説明】
【図１】本発明の各実施例に用いた循環型搬送路を示す外観斜視図である。
【図２】本発明の各実施例に用いた循環型搬送路の構成を示す断面模式図である。
【図３】（ａ）本発明の実施例１の寿司皿を示す裏面図である。
（ｂ）本発明の実施例１の寿司皿の構成を示す断面Ａ−Ａにおける断面図である。
【図４】（ａ）本発明の実施例２の搬送台を示す裏面図である。
（ｂ）本発明の実施例２の搬送台の構成を示す断面Ｂ−Ｂにおける断面図である。
【図５】（ａ）本発明の実施例３の搬送台を示す裏面図である。
（ｂ）本発明の実施例３の搬送台の構成を示す断面Ｃ−Ｃにおける断面図である。
【図６】（ａ）本発明の実施例４の寿司皿を示す裏面図である。
（ｂ）本発明の実施例４の寿司皿の構成を示す断面Ｄ−Ｄにおける断面図である。
【図７】（ａ）本発明の実施例５の寿司皿を示す裏面図である。
（ｂ）本発明の実施例５の寿司皿の構成を示す断面Ｅ−Ｅにおける断面図である。
【図８】従来の飲食物供給用循環型搬送路を示す模式図である。
【符号の説明】
１          （循環型）搬送路
２          スライド板
３          寿司皿（飲食物容器）
３’        寿司皿
４          飲食台
５          ハウシング
６          電磁石
７          チェーンレール
８          駆動チェーン
９          レールホルダ−
１０        給電レール
１１        トロリ
１２        集電ブロック
１３        永久磁石（基材）
１４        糸底（脚部）
１５        ベアリングホルダー部
１６        ベアリングケ−ス
１７        ベアリングボ−ル
１８        搬送台
１９ａ、ｂ  脚部
２０        鉄片（基材）
２１        ベアリングケ−ス
２２        ベアリングロ−ラ
２３        基台
２５        永久磁石
２６        基台
２７        （鉄製）ベアリングボ−ル（基材）
２８        （鉄製）ベアリングロ−ラ（基材）
【図１】
0003916744.tif 000002
【図２】
0003916744.tif 000003
【図３】
0003916744.tif 000004
【図４】
0003916744.tif 000005
【図５】
0003916744.tif 000006
【図６】
0003916744.tif 000007
【図７】
0003916744.tif 000008
【図８】
0003916744.tif 000009